(57)【要約】  一つの装置（Ｄ）が、マルチビームの通信衛星（Ｓ）用のスペクトル拡散に基づくコーディングによるデータの処理専用に設けられ、その各々のビーム（Ｂ１〜Ｂ６）は人工衛星のカバー領域（ＺＣ）内に含まれる地上のセル（Ｃ１〜Ｃ６）に関連付けられる。この装置（Ｄ）は、（ｉ）一方で領域（ＺＣ）の隣接するセル、およびこの領域（ＺＣ）のセル（Ｃ１〜Ｃ６）の集合に共通の信号チャンネルと一対で異なる、擬似拡散コードの組（Ｊ１〜Ｊ４）と関連することおよび、他方で擬似拡散コードの集合の下位区分から生じる組の中から選択される、この領域の隣接しないセルを有する擬似拡散コードの同一の組（Ｊ１〜Ｊ４）と関連することによりロードされ、（ｉｉ）データがセル（Ｃ１）において放送されるべきとき、および／または共通の情報データがセルの集合において放送されるべきときに、放送されるべきデータを有するこのセル（Ｃ１）と関連する組（Ｊ１）に属する擬似拡散コードを変調することおよび、次に変調された搬送波が、関連するビーム（Ｂ１）を用いてセル（Ｃ１）またはセル（Ｃ１〜Ｃ６）の集合に向けて放送されるように、変調された擬似拡散コードを有する人工衛星（Ｓ）の全てのビーム（Ｂ１〜Ｂ６）に対してその周波数（ｆ）が同一である、搬送波を変調することによりロードされる、コーディング手段（ＭＣ）を含む。【選択図】図１
2009509443.tif 000002
【特許請求の範囲】
【請求項１】
各ビーム（Ｂｉ）が人工衛星のカバー領域（ＺＣ）内に含まれる地上のセル（Ｃｉ）と関連する、少なくとも一つのマルチビームの通信衛星（Ｓ）を備えた、通信ネットワーク用のスペクトル拡散によるコーディングによりデータを処理する装置（Ｄ）であって、
（ｉ）一方で、一対で異なる擬似拡散コードの組（Ｊｊ）を前記領域（ＺＣ）の隣接するセルと、そして前記領域（ＺＣ）の前記セル（Ｃｉ）の集合に共通の信号チャンネルと関連させ、他方で、擬似拡散コードの同一の組（Ｊｊ）を前記領域の隣接しないセルと関連させるために設計され、前記組（Ｊｊ）は擬似拡散コードの集合の下位区分から生じる組の中から選択されており、
（ｉｉ）データがセル（Ｃｉ）において放送されるべき場合、および／または共通の情報データが領域（ＺＣ）の前記セル（Ｃｉ）の集合において放送されるべき場合に、前記放送されるべきデータを有するこのセル（Ｃｉ）と関連する組（Ｊｊ）に属する、擬似拡散コードを変調するために設計され、次に変調された搬送波が関連するビーム（Ｂｉ）を用いて、前記セル（Ｃｉ）または前記セル（Ｃｉ）の集合に向けて放送されるように、その周波数（ｆ）が、前記変調された擬似拡散コードを有する人工衛星（Ｓ）の、前記ビーム（Ｂｉ）の全てに対して同じである搬送波を変調するために設計された、コーディング手段（ＭＣ）を備えることを特徴とする装置。
【請求項２】
前記コーディング手段（ＭＣ）が、前記変調された擬似拡散コードを有する前記領域（ＺＣ）の、全てのセル（Ｃｉ）に対して同一のスクランブルコードを変調するために設計され、次に前記変調された搬送波が関連するビーム（Ｆｉ）を用いて、前記関係するセル（Ｃｉ）または前記セル（Ｃｉ）の集合に向けて放送されるように、前記変調された擬似拡散コードを有する、前記搬送波を変調するために設計されることを特徴とする請求項１に記載の装置。
【請求項３】
前記コーディング手段（ＭＣ）が、前記カバー領域（ＺＣ）のあらゆる地点における受信を可能にするために、放送されるべきデータに関する前記擬似拡散コードの組と、前記共通の信号チャンネルとを密接に結び付けるために設計されることを特徴とする、請求項１または２に記載の装置。
【請求項４】
請求項１〜３のいずれか一項に記載のデータ処理装置（Ｄ）を備えることを特徴とする、衛星通信ネットワーク用のマルチビーム通信衛星（Ｓ）。
【請求項５】
請求項１〜３のいずれか一項に記載のデータ処理装置（Ｄ）を備えることを特徴とする、衛星通信ネットワーク用の衛星通信局。
【請求項６】
各ビーム（Ｂｉ）が人工衛星のカバー領域（ＺＣ）内に含まれる地上のセル（Ｃｉ）と関連する、少なくとも一つのマルチビームの通信衛星（Ｓ）を備えた、通信ネットワーク用のスペクトル拡散によるコーディングによりデータを処理する方法であって、
（ｉ）一方で前記領域（ＺＣ）の隣接するセル、および領域（ＺＣ）の前記セル（Ｃｉ）の集合に共通の信号チャンネルと一対で異なる、擬似拡散コードの組（Ｊｊ）と関連し、他方で擬似拡散コードの集合の下位区分から生じる組の中から選択される、前記領域（ＺＣ）の隣接しないセルを有する擬似拡散コードの同一の組（Ｊｊ）と関連することと、
（ｉｉ）人工衛星（Ｓ）の前記ビーム（Ｂｉ）の各々に同一の選択された搬送波周波数（ｆ）を割り当てることと、
（ｉｉｉ）データがセル（Ｃｉ）において放送されるべき場合、および／または共通の情報データが領域（ＺＣ）の前記セル（Ｃｉ）の集合において放送されるべき場合に、前記放送されるべきデータを有するこのセル（Ｃｉ）と関連する組（Ｊｊ）に属する擬似拡散コードを変調することと、そして変調された搬送波が、前記セル（Ｃｉ）または前記セル（Ｃｉ）の集合に向けて放送されるように、前記変調された擬似拡散コードを有する、選択された周波数（ｆ）の前記搬送波を変調することにあるのを特徴とする方法。
【請求項７】
ｉｉｉ）において、前記領域（ＺＣ）の全てのセルに対して同一のスクランブルコードが、前記変調された擬似拡散コードと共に変調され、そのとき前記変調された搬送波が関連するビーム（Ｂｉ）を用いて前記関係するセル（Ｃｉ）または前記セル（Ｃｉ）の集合に向けて放送されるように、前記搬送波が前記変調されたスクランブルコードと共に変調されることを特徴とする請求項６に記載の方法。
【請求項８】
放送されるべきデータ用と、前記共通の信号チャンネル用の前記擬似拡散コードの組が、前記カバー領域（ＺＣ）のあらゆる地点において受信するように密接に結び付けられることを特徴とする、請求項６または７に記載の方法。
【請求項９】
「符号分割多重アクセス方式」と称されるタイプの衛星通信ネットワークにおける、請求項１〜８のいずれか一項に記載のデータ処理装置（Ｄ）およびデータ処理方法の使用。
【請求項１０】
前記ネットワークが少なくともＣＤＭＡ、Ｗ−ＣＤＭＡ、ＣＤＭＡ２０００、およびＴＤ−ＳＣＤＭＡを含む群から選択されることを特徴とする請求項９に記載の使用。
【発明の詳細な説明】
【技術分野】
【０００１】
本発明は人工衛星の通信ネットワークに関し、より正確にはそのようなネットワークに属するマルチビームの通信衛星によるそれらの放送のために、スペクトル拡散によるデータ処理でロードされた装置に関する。
【背景技術】
【０００２】
一定の人工衛星ネットワークは、各々が人工衛星のビームに関連する地上のセルに向けたマルチビームの衛星によりデータを放送するために、「スペクトル拡散によるコーディング」と称される技術を用いる。この技術はとりわけＣＤＭＡ（「符号分割多重アクセス方式（Ｃｏｄｅ  Ｄｉｖｉｓｉｏｎ  Ｍｕｌｔｉｐｌｅ  Ａｃｃｅｓｓ）」）、Ｗ−ＣＤＭＡ（「広帯域符号分割多重アクセス方式（Ｗｉｄｅ  ＣＤＭＡ）」）、ＣＤＭＡ２０００、およびＴＤ−ＳＣＤＭＡ（「時分割同期符号分割多重アクセス方式（Ｔｉｍｅ  Ｄｉｖｉｓｉｏｎ  Ｓｙｎｃｈｒｏｎｏｕｓ  ＣＤＭＡ）」）並びにそれらの変形を一つにまとめた、Ｉ’ＩＳ−９５または３ＧＰＰのような規格により定義される。
【０００３】
スペクトル拡散技術はその基本版（ＣＤＭＡまたはＷＣＤＭＡ）において、放送されるべきデータと共に、一般にアダマール・コード（Ｈａｄａｍａｒｄ  ｃｏｄｅ）タイプの擬似拡散コードを変調し、次に地上のセルに対して専用の人工衛星のビームを用いて、データが宛てられた地上のセルの方向に変調された搬送波が放送されるように、これらの変調された擬似拡散コードと共に搬送波を変調することにある。様々な擬似拡散コードは、セル内に位置する様々な（移動式またはそうでない）通信端末に宛てられたデータにより変調される。変調された擬似拡散コードはまたスクランブルコードを変調し、放送されるべき搬送波はこの変調されたスクランブルコードと共に変調される。
【０００４】
当業者に知られているように、従来の人工衛星ネットワークにおいて、各々の地上のセル（または「地点（ｓｐｏｔ）」）は人工衛星のビームの一つに関連し、そして様々なビームは全て同一の互いに準直交の擬似拡散コードの集合に関連する。隣接するセルに関連するビームは、時間と共にシフトされた同一のスクランブルコード、または異なるスクランブルコードを使用し、それゆえセル間の直交性の不足に起因する干渉によって引き起こされる劣化を回避したい場合、これらのビームにより放送される搬送波の周波数は異なることが不可欠である。隣接するセルの間の周波数の再使用は禁じられており、従って各ビームはシステムに割り当てられた帯域幅の小さな部分しか使用できない。より正確には、地上のセルの構成がＮ種類の異なる搬送波の周波数の使用を強いる場合、マルチビームの人工衛星の各ビームは割り当てられた帯域幅のＮ番目の部分しか使用できない。例えこれらＮ種類の周波数が隣接しないセル間で再使用できたとしても、これは伝送能力を著しく制限する。
【発明の開示】
【発明が解決しようとする課題】
【０００５】
本発明の目的は従ってこの状況を改善することである。
【課題を解決するための手段】
【０００６】
この目的のため、本発明は、各々のビームが人工衛星のカバー領域の全体中に含まれる地上のセルと関連する、少なくとも一つのマルチビームの通信衛星を備えた通信ネットワーク用の、スペクトル拡散によるコーディングによりデータを処理するための装置を提案する。
【０００７】
この処理装置は、
一方でカバー領域の隣接するセル、およびカバー領域のセルの集合に共通な信号チャンネルと一対で異なる、擬似拡散コードの組と関連し、他方で擬似拡散コードの集合の下位区分から生じる組の中から選択される、この同じカバー領域の隣接しないセルを有する擬似拡散コードの同一の組と関連することによりロードされ、
カバー領域のセルにおいて放送されるべきデータ、および／またはカバー領域のセルの集合において放送されるべき共通の情報データの場合に、前記放送されるべきデータを有するこのセル、または前記セルの集合と関連する組に属する擬似拡散コードを変調することによりロードされ、次に変調された搬送波がその関連するビームを用いてセルまたはセルの集合に向けて放送され得るように、変調された擬似拡散コードを有する、その周波数が人工衛星の全てのビームに対して同一である搬送波を変調することによりロードされた、コーディング手段を含むことを特徴とする。
【０００８】
本発明による装置は別々に、または組合せて採用され得る他の特徴を含むことができ、特に、
そのコーディング手段は、変調された擬似拡散コードを有するカバー領域の全てのセルに対して同一であるスクランブルコードを変調することによりロードされ、次に変調された搬送波がその関連するビームを用いて、関係するセルまたはセルの集合に向けて放送され得るように、この変調されたスクランブルコードを有する搬送波を変調することによりロードされることができ、
そのコーディング手段は、カバー領域のあらゆる地点において良好な受信を可能にするために、放送されるべきデータに関する擬似拡散コードの組と、共通の信号チャンネルとを密接に結び付けることによりロードされることができる。
【０００９】
本発明はまた、上記に示されたタイプの処理装置を備える（人工衛星通信ネットワーク用の）、マルチビームの通信衛星を提案する。
【００１０】
本発明はまた、
一方で人工衛星のビームによりカバーされる領域の隣接するセル、およびこのカバー領域のセルの集合に共通の信号チャンネルと一対で異なる、擬似拡散コードの組と関連し、他方で擬似拡散コードの集合の下位区分から生じる組の中から選択される、この領域の隣接しないセルを有する擬似拡散コードの同一の組と関連することと、
人工衛星の各ビームに同一の選択された搬送波周波数を割り当てることと、
データがカバー領域のセルにおいて放送されるべきとき、および／または共通の情報データがカバーされる領域のセルの集合において放送されるべきときに、放送されるべきデータを有するこのセルと関連する組に属する擬似拡散コードを変調することと、そして変調された搬送波がセルまたはセルの集合に向けて放送されるように、変調された擬似拡散コードを有する、選択された周波数の搬送波を変調することにある、マルチビームの通信衛星用のスペクトル拡散によるコーディングにより、データを処理する方法を提案する。
【００１１】
本発明による方法は別々に、または組合せて採用され得る他の特徴を含むことができ、特に、
それは、変調された擬似拡散コードを有するカバー領域の全てのセルに対して同一であるスクランブルコードを変調し、次に変調された搬送波がその関連するビームを用いて、関係するセルまたはセルの集合に向けて放送されるように、変調されたスクランブルコードを有する搬送波を変調することができ、
カバー領域のあらゆる地点において受信が可能であるように、放送されるべきデータに関する擬似拡散コードの組と、共通の信号チャンネルとを密接に結び付けることができる。
【００１２】
本発明は、非包括的に、ＣＤＭＡ、Ｗ−ＣＤＭＡ、ＣＤＭＡ２０００、およびＴＤ−ＳＣＤＭＡ技術並びにそれらの変形のような、「符号分割多重アクセス方式」と称されるタイプの衛星通信ネットワークに、特に良く適合する。
【００１３】
本発明の他の特徴および利点は以下の詳細な記述および、唯一の図が非常に概略的に、本発明による処理装置の例示的実施形態を備えた通信衛星および関連するカバー領域を含む、人工衛星ネットワークの一部を例示している添付図を調べることにより明らかになるであろう。添付図面は本発明の補足に役立つだけでなく、適切な場合はその定義にも寄与する。
【００１４】
本発明の目的は、スペクトル拡散によるコーディング技術を用いて、衛星通信ネットワークに属する通信衛星の伝送能力の増加を可能にすることである。
【００１５】
以下において、限定されない例として人工衛星ネットワークはその通信衛星を経由して、その地上のセルにある移動可能な通信端末にデータを伝送するために、Ｗ−ＣＤＭＡタイプのスペクトル拡散によるコーディング技術を用いることが考えられる。しかし、本発明はこの応用に限定されない。本発明は、実にＩＳ９５または３ＧＰＰ規格、およびとりわけＣＤＭＡ、Ｗ−ＣＤＭＡ、ＣＤＭＡ２０００、およびＴＤ−ＳＣＤＭＡ並びにそれらの変形により定義される技術を用いる全てのネットワークに関する。
【００１６】
その上、本発明は、例えば衛星通信モジュールを備える携帯電話、携帯情報端末（またはＰＤＡ）、および携帯用コンピュータ等の移動可能な（または携帯用の）通信端末だけに関するわけではない。本発明はまた、とりわけ使用されるコーディング技術がＣＤＭＡであるときに、衛星通信モジュールを備える固定通信端末にも関する。
【発明を実施するための最良の形態】
【００１７】
唯一の図に表わされているのは、人工衛星のネットワーク（ここではＷ−ＣＤＭＡタイプのもの）に属するマルチビームの通信衛星Ｓである。この人工衛星Ｓは、地上のセル（または「地点（ｓｐｏｔ）」）Ｃｉにある（通信）端末Ｔ向けのデータを放送するように定められた、発生する波動ビームＢｉによりロードされる送信／受信モジュールＭＥＲを備える。人工衛星Ｓの各ビームＢｉはセルＣｉ専用である。ビームＢｉによりカバーされるセルＣｉの集合は、人工衛星Ｓのカバー領域ＺＣを構成する。モジュールＭＥＲはまた、カバー領域ＺＣのセルＣｉの集合に共通の信号チャンネルに放送するように定められた波動ビームＢＴを発生させる。これら共通の信号チャンネルはカバー領域ＺＣのセルＣｉの集合において、放送されるべき共通の情報データを含むように定められる。
【００１８】
唯一の図に例示されている限定されない例において、カバー領域ＺＣは、各々が六つの人工衛星のビームＢ１〜Ｂ６の一つと関連する、六つのセルＣ１〜Ｃ６（ｉ＝１〜６）を含む。添字ｉは隣接しないセルの間で少なくとも１回の再使用を考慮することにより、３以上の任意の値をとることができる。
【００１９】
本発明は最初に、例えばアダマール・コードのようなＮ種類の互いに準直交の擬似拡散コードの集合を、擬似拡散コードの組Ｊｊ（ｊ＝１〜Ａ）の選択された数Ａへと細分することを提案する。
【００２０】
数Ａは共通の信号チャンネル用に必要な擬似拡散コードと同様に、それらのカバー領域ＺＣ内で、互いに対してセルＣｉの構成に依存する。それは少なくとも２に等しい。図示されている例において、共通の信号チャンネル用の組Ｊ４を使用することにより、第三のセルＣ３以外に二つを超える他のセルに隣接するセルが実際には無く、そして隣接するセルに関連する三組のＪ１〜Ｊ３が再使用できることを考えると、四組（Ａ＝４）のＪ１〜Ｊ４（ｊ＝１〜４）で十分である。
【００２１】
例えば、第一組Ｊ１は１、２、．．．、Ｌ、の数を有する擬似拡散コードを含み、第二組Ｊ２はＬ＋１、Ｌ＋２、．．．、Ｍ、の数を有する擬似拡散コードを含み、第三組Ｊ３は擬似拡散コードＭ＋１、Ｍ＋２、．．．、Ｎ−Ｋを含み、そして第四組Ｊ４は擬似拡散コードＮ−Ｋ＋１、Ｎ−Ｋ＋２、．．．、Ｎを含む。従ってＪ１、Ｊ２、Ｊ３、およびＪ４はそれぞれＬ、Ｍ−Ｌ、Ｎ−Ｍ−Ｋ、およびＫの擬似拡散コードを含む。Ｊ４組は共通の信号チャンネルに対応する。集合のＮ種類の擬似拡散コードは全て互いに準直交であり、各組Ｊｊの擬似拡散コードはそれゆえ異なる組に属する擬似拡散コードと丁度同じように、また互いに準直交である。
【００２２】
本発明によれば、人工衛星ネットワークの各人工衛星Ｓは、一方でカバー領域ＺＣの隣接するセルと一対で異なる擬似拡散コードの組Ｊｊと関連し、他方でこの同じカバー領域ＺＣの隣接しないセルを有する擬似拡散コードの同一の組と関連することによりロードされる、コーディングモジュールＭＣを含む（伝送されるべき）データ処理装置Ｄを備える。コーディングモジュールＭＣはまた、隣接するセルに割り当てられるものと異なる、共通の信号チャンネル用の擬似拡散コードの組Ｊｊと関連することによりロードされる。
【００２３】
図１では人工衛星Ｓ内に表わされてはいるが、（伝送されるべき）データ処理装置Ｄはまた地上に設置されて人工衛星Ｓに伝送する衛星通信局内に設置されることも可能であり、人工衛星Ｓはそのとき単に衛星通信局から発生する信号の周波数変換を行なうだけに過ぎない。
【００２４】
図示されている例において、第三セルＣ３は第一セルＣ１、第二セルＣ２、第四セルＣ４、および第五セルＣ５に隣接し、第一セルＣ１と第二セルＣ２は隣接し、そして第四セルＣ４は第五セルＣ５および第六セルＣ６に隣接している。その結果、コーディングモジュールＭＣは、
Ｊ１組を第一セルＣ１および第四セルＣ４と、
Ｊ２組を第二セルＣ２および第五セルＣ５と、
Ｊ３組を第三セルＣ３および第六セルＣ６と、そして
Ｊ４組を（共通の信号チャンネル用の）カバー範囲ＺＣ全体と
関連付けることができる。
【００２５】
これは隣接するセルと隣接しないセルとの間に組を配置するための、前述の条件を満足させることを可能にする。
【００２６】
そのような組の配置によって、隣接するセルにデータを伝送するために使用される擬似拡散コードは常に互いに準直交である。その結果、これからは隣接するビーム間の干渉の危険性なしに、任意のセルＣｉ内にある端末Ｔ向けの、いずれか一つのビームＢｉを有するデータを伝送するために、同じ搬送波周波数ｆを使用することが可能である。
【００２７】
様々な組を様々なセルＣｉ（またはビームＢｉ）に、および共通の信号チャンネルに割り当てることは、人工衛星ネットワークのオペレータのセルＣｉおよびそれらの隣接性に関する知識を考慮して、当該オペレータにより決定されることが望ましい。その結果、装置ＤのコーディングモジュールＭＣは、好ましくは、対応する組／セルの組合せを進めることにより、内部で組の割り当てを反映する以外にない。
【００２８】
データがカバー領域ＺＣのセルＣｉ内にある端末Ｔに向けて放送されるその都度、装置ＤのコーディングモジュールＭＣは干渉する。より正確には、コーディングモジュールＭＣは、放送されるべきデータを有する、関係のあるセルＣｉと組み合わされた組Ｊｊに属する擬似拡散コードを変調する。そのとき、用いられるコーディング技術はＷ−ＣＤＭＡであり、コーディングモジュールＭＣは変調された擬似拡散コードを有する、選択されたスクランブルコードを変調する。
【００２９】
選択されたスクランブルコードは同一のカバー領域ＺＣの、全てのセルＣｉ（従って全てのビームＢｉ）に対して同じであることに注意するのは重要である。共通の信号チャンネルはまた擬似拡散コードを用い、それらは従ってまたセルＣｉ用に選択されたものと同じスクランブルコードを用いる。
【００３０】
その後、コーディングモジュールＭＣは、送信／受信モジュールＭＥＲがその関連するビームＢｉを用いて、変調された搬送波を関係のあるセルＣｉに向けて放送するように、変調されたスクランブルコードを有する、（全てのセルＣｉに共通の）周波数ｆの搬送波を変調する。
【００３１】
例えば、データが第二セルＣ２および第四セルＣ４内にある端末Ｔに向けて放送されるべき場合、コーディングモジュールＭＣは第二セルＣ２において放送されるべきデータを有する、Ｊ２組に属する擬似拡散コード、および第四セルＣ４において放送されるべきデータを有する、Ｊ１組に属する擬似拡散コードを変調する。次に、それは一方でＪ２組の変調された擬似拡散コードを有する、カバー領域ＺＣのスクランブルコードを変調し、それにより第一の変調されたスクランブルコードを与え、他方でＪ１組の変調された擬似拡散コードを有する、カバー領域ＺＣの同じスクランブルコードを与え、それにより第二の変調されたスクランブルコードを与える。その後コーディングモジュールＭＣは、一方で第一の変調されたスクランブルコードを有する周波数ｆの第一の搬送波を変調し、それにより第一の変調された搬送波を与え、他方で第二の変調されたスクランブルコードを有する同じ周波数ｆの第二の同一搬送波を変調し、それにより第二の変調された搬送波を与える。送信／受信モジュールＭＥＲは次に第一および第二の変調された搬送波を、それらの各々関連するビームＢ２およびＢ４を用いて、第二セルＣ２と第四セルＣ４に向けて放送する。
【００３２】
コーディングモジュールＭＣはまた、擬似拡散コードの集合が互いに準直交のまま留まるように、データおよび共通の信号チャンネルを全てのセルＣｉに伝送するために用いられる、擬似拡散コードの集合の時間的な配列を実施する。より正確には、例えばセルＣ３における端末Ｔを考慮することにより、ビームＢＴから生じる共通信号およびビームＢ３において受信する信号が、セルＣ３に固有のデータの良好な受信を可能にするように、相対的振幅、位相、および遅れにおいて調整されることが好ましい。隣接するビームＢ１、Ｂ２、Ｂ４、およびＢ５により送信され、セルＣ３の端末Ｔにより受信されるデータの残りは、擬似拡散コードの準直交性を保証することによりセル間の干渉を最小化するように、Ｃ３に固有のデータの位相および遅れの調整を示すことがまた望ましい。
【００３３】
このために、コーディングモジュールＭＣは伝送チェーンの全ての不完全さ（振幅、位相、および遅れにおける相対的変化）並びに、とりわけマルチビーム通信衛星の送信アンテナの特性を考慮に入れる。
【００３４】
コーディングモジュールＭＣは、信号の全ての成分が検出器または補償器により密接に結び付けられることを確実にする装置と同様に、通常スペクトル拡散によるコーディング技術の実施を可能にする装置、そしてとりわけ変調装置を含む。それは、図示されるように、送信／受信モジュールＭＥＲの一部分を形成してもよい。しかし、これは必須ではない。それは事実、前に示したように、人工衛星Ｓにアクセスすることを可能にする衛星通信局内に位置してもよい。この場合、検出器はセルＣｉの内部にある受信局内に位置し得る。
【００３５】
本発明による処理装置Ｄ、および特にそのコーディングモジュールＭＣは、電子回路、ソフトウェア（またはコンピュータ）・モジュール、或いは回路とソフトウェアの組合せの形態で具体化され得る。
【００３６】
本発明を実施可能にするデータ処理装置Ｄを上記に説明してきた。しかし、本発明はまたデータ処理方法の形態においても考慮され得る。データ処理方法は上記に示された処理装置Ｄを用いて実施され得る。この方法のステップにより確保される主な機能とオプション機能、および補助機能は、装置Ｄを構成する様々な手段により確保されるものと実質的に同一であり、本発明による方法の主な機能を実行するステップのみが以下で要約されるであろう。
【００３７】
この方法は、
一方で人工衛星ＳのビームＢｉによりカバーされる領域ＺＣの隣接するセルＣｉ、およびカバー領域ＺＣのセルＣｉの集合に共通の信号チャンネルと一対で異なる、擬似拡散コードの組Ｊｊと関連し、他方でＮ種類の擬似拡散コードの集合の下位区分から生じるＪｊのＡ組の中から選択される、この領域ＺＣの隣接しないセルＣｉを有する擬似拡散コードの同一の組Ｊｊと関連することと、
人工衛星Ｓの各ビームＢｉに同一の選択された搬送波周波数ｆを割り当てることと、
データがカバー領域ＺＣのセルＣｉにおいて放送されるべきとき、および／または共通の情報データがこの領域ＺＣのセルＣｉの集合において放送されるべきときに、放送されるべきデータを有するこのセルＣｉと関連する組Ｊｊに属する擬似拡散コードを変調することと、そして変調された搬送波が関係するセルＣｉまたはセルＣｉの集合に向けて放送されるように、変調された擬似拡散コードを有する、選択された周波数の搬送波を変調することにある。上記に示されるように、本発明によって、使用される搬送波周波数（ｆ）はカバー領域ＺＣの各セルＣｉにおいて同じである。その結果、各人工衛星のビームＢｉは人工衛星に割り当てられた帯域幅全体を使用することができ、従って伝送能力を著しく増やすことを可能にする。
【００３８】
本発明はあくまで例として上述されたデータ処理装置、通信衛星、およびデータ処理方法の実施形態に限定されず、特許請求の範囲の枠組み内で当業者により想定され得る全ての変形を包含する。
【図面の簡単な説明】
【００３９】
【図１】本発明による処理装置の例示的実施形態を備えた通信衛星および関連するカバー領域を含む、人工衛星ネットワークの一部を例示している。
【図１】
2009509443.tif 000003
【国際調査報告】
2009509443.tif 000004
2009509443.tif 000005
2009509443.tif 000006
2009509443.tif 000007